(57)【要約】【課題】  ケーブルをケーブルグランドの中心に強固に固定でき、安価でケーブル固定作業を簡単に行うことができるケーブルクランプ装置を提供する。【解決手段】本体（２）と、本体（２）に配置されるゴムパッキン（４）と、本体（２）の外周部に螺合するユニオンナット（３４）と、金属製のチャック片（１４）（１６）（１８）からなるクランプリング（１２）と、パッキングランド（１０）と、ユニオンナット（３４）の一端と係合し、クランプリング（１２）と当接してユニオンナット（３４）内に配置されるカップリング（３０）とを備えている。ユニオンナット（３４）を本体（２）に対してねじ込むとクランプリング（１２）とゴムパッキン（４）がそれぞれケーブル（３２）に圧着する。【選択図】図１
2014003128.tif 000002
【特許請求の範囲】
【請求項１】
耐圧防爆形ボックスに取り付けるための管状の本体（２）と、該本体（２）に配置されるゴムパッキン（４）と、前記本体（２）の外周部に螺合するユニオンナット（３４）と、ユニオンナット（３４）内に配置されるクランプリング（１２）と、一端部に前記クランプリング（１２）を係止する係止面を有し他端が前記ゴムパッキン（４）に当接して前記本体（２）内に配置されるパッキングランド（１０）と、前記ユニオンナット（３４）の一端と係合する鍔部（３０ａ）を有し、前記クランプリング（１２）と当接して前記ユニオンナット（３４）内に配置されるカップリング（３０）とを備え、前記クランプリング（１２）を、複数個の金属製のチャック片（１４）（１６）（１８）がばねリング（２８）によってリング状に結合した構成とし、前記ユニオンナット（３４）を前記本体（２）に対してねじ込むと該ユニオンナット（３４）により前記カップリング（３０）が軸方向に押圧され、テーパー面に案内されて前記クランプリング（１２）が前記パッキングランド（１０）の中心方向に縮径するとともに、前記ゴムパッキン（４）が変形して、クランプリング（１２）とゴムパッキン（４）がそれぞれケーブル（３２）に圧着するようにしたことを特徴とする防爆形ケーブルグランドのケーブルクランプ装置。
【請求項２】
前記テーパー面が前記各チャック片（１４）（１６）（１８）と、これに当接するパッキングランド（１０）の鍔部（１０ａ）のいずれか一方又は両方に形成されていることを特徴とする防爆形ケーブルグランドのケーブルクランプ装置。
【請求項３】
前記テーパー面が前記カップリング（３０）の鍔部（３０ａ）の端面に形成されることを特徴とする請求項１に記載の防爆形ケーブルグランドのケーブルクランプ装置。
【発明の詳細な説明】
【技術分野】
【０００１】
本発明は耐圧防爆形ボックスにケーブルを導くために用いられる防爆形ケーブルグランドのケーブルクランプ装置に関する。
【背景技術】
【０００２】
ケーブルが挿入配置される防爆形ケーブルグランドのパッキングランドにケーブルを固定する装置において、弾性のプラスチックから成るクランプリングを用いた防爆形ケーブルグランドのケーブルクランプ装置が従来知られている（例えば特許文献１参照）。
【先行技術文献】
【特許文献】
【０００３】
【特許文献１】実公平６−２２９６号公報
【発明の概要】
【発明が解決しようとする課題】
【０００４】
従来の防爆形ケーブルグランドのケーブルクランプ装置は、パッキングランドの中心にケーブルを固定するためにプラスチックからなるクランプリングを用いている。そのため、ケーブルをパッキングランドの中心に固定することができるが、強度を大きくすることができなかった。また、パッキングランドをパッキンケースにねじ込みゴムパッキンを圧縮変形し、クランプキャップをパッキングランドにねじ込んでクランプリングを挟圧する構造となっているため、部品点数が多く、コスト高となるとともに、パッキングランドをパッキンケースにねじ込んでゴムパッキンの圧縮変形を行う作業と、クランプキャップをパッキングランドにねじ込んでクランプリングの圧縮変形を行う作業を別々に行う必要があり、組み付け作業が面倒であるという問題点がある。
本発明は上記問題点を解決することを目的とする。
【課題を解決するための手段】
【０００５】
上記目的を達成するため本発明は、耐圧防爆形ボックスに取り付けるための管状の本体（２）と、該本体（２）に配置されるゴムパッキン（４）と、前記本体（２）の外周部に螺合するユニオンナット（３４）と、ユニオンナット（３４）内に配置されるクランプリング（１２）と、一端部に前記クランプリング（１２）を係止する係止面を有し他端が前記ゴムパッキン（４）に当接して前記本体（２）内に配置されるパッキングランド（１０）と、前記ユニオンナット（３４）の一端と係合する鍔部（３０ａ）を有し、前記クランプリング（１２）と当接して前記ユニオンナット（３４）内に配置されるカップリング（３０）とを備え、前記クランプリング（１２）を、複数個の金属製のチャック片（１４）（１６）（１８）がばねリング（２８）によってリング状に結合した構成とし、前記ユニオンナット（３４）を前記本体（２）に対してねじ込むと該ユニオンナット（３４）により前記カップリング（３０）が軸方向に押圧され、テーパー面に案内されて前記クランプリング（１２）が前記パッキングランド（１０）の中心方向に縮径するとともに、前記ゴムパッキン（４）が変形して、クランプリング（１２）とゴムパッキン（４）がそれぞれケーブル（３２）に圧着するようにしたことを特徴とする。
また本発明は、前記テーパー面が前記各チャック片（１４）（１６）（１８）と、これに当接するパッキングランド（１０）の鍔部（１０ａ）のいずれか一方又は両方に形成されていることを特徴とする。
また本発明は、前記テーパー面が前記カップリング（３０）の鍔部（３０ａ）の端面に形成されることを特徴とするものである。
【発明の効果】
【０００６】
本発明は複数個の金属製のチャック片をばねリングでリング状に結合したクランプリングを用いたのでケーブルをパッキングランドの中心に強固に固定することができる。また、クランプリングをパッキングランドとカップリングで挟圧し、クランプリングを変形させる構成としたので部品点数を少なくすることができる。また、ユニオンナットをねじ込む作業によってゴムパッキンとクランプリングの両方を同時に圧縮変形することができ、組み付け作業を迅速に行うことができる。
【図面の簡単な説明】
【０００７】
【図１】本発明に係る防爆形ケーブルグランドの断面図である。
【図２】防爆形ケーブルグランドの右側面図である。
【図３】クランプリングの正面図である。
【図４】クランプリングの正面図である。
【発明を実施するための形態】
【０００８】
以下に本発明の構成を添付した図面を参照して詳細に説明する。
図１中、符号２は、防爆形ケーブルグランドの円筒状本体であり、これには大径部と小径部とが形成され、大径部の外周には溝が形成され、該溝にゴム製のＯリングが嵌着されている。
【０００９】
前記本体２の一端外周部には雄ねじ２ａが形成され、他端外周部には本体２を耐圧防爆形ボックス（図示省略）に取り付けるための雄ねじ２ｂが形成されている。前記本体２の大径部の内径部には軸方向に対して垂直な係止面２ｃが形成されている。また、本体２の大径部の内径部に管状のゴムパッキン４がその軸方向の両端に座金６，８を介して挿入配置されている。
【００１０】
１０は管状のパッキングランドであり、鍔部１０ａが形成され、該鍔部１０ａにテーパー面１０ｂからなる係止面が形成されている。１２は、３つの金属製のチャック片１４，１６，１８からなるクランプリングであり、各チャック片１４，１６，１８はテーパー面２０と、当接周面２２と、軸方向に対して垂直な垂直端面２４と、外周面２６とを有し、互いにリング状に所定の間隔を存して、密着巻きのコイルスプリングからなるばねリング２８によってリング状に保持されている。
【００１１】
ばねリング２８は、各チャック片１４，１６，１８の内側に形成された溝に嵌合配置されている。クランプリング１２のテーパー面２０は、パッキングランド１０の端部に全周に亘って形成されたテーパー面１０ｂと接し、クランプリング１２の端面２４に軸方向にかかる押圧力を各チャック片１４，１６，１８がばねリング２８の弾力に抗して、パッキングランド１０の中心方向に向かう方向の押圧力に変換するように構成されている。
【００１２】
３０はカップリングであり一端に鍔部３０ａを有し、内径部に、ケーブル３２が内装されたフレキシブルな保護管（図示省略）に嵌着固定されるものである。カップリング３０の鍔部３０ａはクランプリング１２の垂直端面２４に当接している。３４はユニオンナットであり、その一端には前記カップリング３０の鍔部３０ａと係合すべく突条３４ａが形成され該突条３４ａに形成された円周溝にゴムOリングが嵌着されている。
【００１３】
ユニオンナット３４の他端管壁には厚み方向にねじ穴３６が穿設され、またユニオンナット３４の他方の内径部には、本体２の雄ねじに螺合するための雌ねじ部が形成されている。また、ユニオンナット３４の内径部には、パッキングランド１０の脱落防止用のC型止め輪３８が取り付けられ、該止め輪３８はパッキングランド１０の鍔部１０ａと係合している。
【００１４】
次に本実施形態の作用について説明する。
ユニオンナット３４にパッキングランド１０、クランプリング１２、カップリング３０を図示のごとく内装し、ケーブル３２を内装した保護管（図示省略）をカップリング３０の内周面に嵌着する。
この状態においてケーブル３２は、パッキングランド１０の一端から所定長さ延長されている。
【００１５】
次に、耐圧防爆形ボックスのねじ穴に螺合する本体２にゴムパッキン４を挿入配置した状態でケーブル３２を本体２の中に通し、次にユニオンナット３４を本体２の外周部のねじに深く螺合する。これにより、ユニオンナット３４の鍔部３４からカップリング３０の鍔部３０ａに押圧力が伝達され、パッキングランド１０が軸方向にゴムパッキン４を押圧する。また、クランプリング１２は、カップリング３０の鍔部３０ａとパッキングランド１０のテーパー面１０ｂに挟圧される。
【００１６】
ゴムパッキン４は、パッキングランド１０からの押圧力により変形され、本体２の軸心方向に向けてその中心空間部が縮小してゴムパッキン４の内周面は本体２内のケーブル３２の外周面に均一に圧着し、ゴムパッキン４の外周面は本体２の内周面に圧着する。カップリング３０の垂直端面２４と、パッキングランド１０のテーパー面１０ｂとで、チャック片１４，１６，１８の軸方向両端が挟圧されると、この挟圧力によってチャック片１４，１６，１８がばねリング２８の弾力に抗し、パッキングランド１０の中心方向に変位し、各チャック片１４，１６，１８の当接周面２２がケーブル３２に圧着する。
【００１７】
これにより、ケーブル３２は、クランプリング１２を介してパッキングランド１０の中心に固定される。ユニオンナット３４を所定の位置まで、本体２にねじ込んだ後は、ねじ穴３６にビスをねじ込んでユニオンナット３４を本体２に固定する。本体２内のケーブル３２は、本体２内を通って耐圧防爆形ボックス内の電気器具に導かれ、これに接続される。
【００１８】
尚、上記実施形態では、テーパー面をチャック片１４，１６，１８とパッキングランド１０の両方に形成したがいづれか一方側に設けた構成としても良く、またテーパー面をチャック片１４，１６，１８とパッキングランド１０に設けないで、カップリング３０の端面２４に設けるようにしても、カップリング３０の押圧力によって、クランプリング１２を縮径方向に変形させ、チャック片１４，１６，１８の当接周面２２をケーブル３２に圧着することができる。
【符号の説明】
【００１９】
２        本体
２ａ      雄ねじ
２ｂ      雄ねじ
２ｃ      係止面
４        ゴムパッキン
６        座金
８        座金
１０      パッキングランド
１０ａ    鍔部
１０ｂ    テーパー面
１２      クランプリング
１４      チャック片
１６      チャック片
１８      チャック片
２０      テーパー面
２２      当接周面
２４      端面
２６      外周面
２８      ばねリング
３０      カップリング
３０ａ    鍔部
３２      ケーブル
３４      ユニオンナット
３６      ねじ穴
３８      止め輪
【図１】
2014003128.tif 000003
【図２】
2014003128.tif 000004
【図３】
2014003128.tif 000005
【図４】
2014003128.tif 000006